(57)【要約】【課題】透光性を有する表示画面を備え、該表示画面の表側の視認者が視認すべきオブジェクトを表示する表示装置において、前記表示画面を介して透けて見える裏側が前記オブジェクトの色と同一色又は同系色である場合でも、明確に該オブジェクトを視認することが出来る表示装置、表示方法、コンピュータプログラム、及び該コンピュータプログラムが記録される記録媒体を提供する。【解決手段】表示部の表示画面の裏側を撮像し、撮像された映像の色、及び前記オブジェクトの色を比較して、斯かる比較結果に基づき、所定の色を決定し、斯かる決定結果に基づき、オブジェクトの色を変更表示する。【選択図】図３
2012221228.tif 000002
【特許請求の範囲】
【請求項１】
透光性を有する表示画面を備え、該表示画面の表側の視認者が視認すべきオブジェクトを表示する表示装置において、
該表示画面の裏側を撮像する撮像手段と、
撮像された映像の色、及び前記オブジェクトの色を比較する比較手段と、
該比較手段の比較結果に基づき、所定の色を決定する決定手段と、
該決定手段の決定結果に基づき、前記オブジェクトの色を変更表示する変更手段と
を備えることを特徴とする表示装置。
【請求項２】
色の選択を受け付ける選択受付手段を備え、
前記比較手段は、
前記選択受付手段が受け付けた選択に係る色と、前記オブジェクトの色とを比較するように構成されていることを特徴とする請求項１に記載の表示装置。
【請求項３】
計時手段を備え、
該計時手段の計時結果に基づき、前記比較手段による比較、又は前記決定手段による決定が行われるように構成してあることを特徴とする請求項１又は２に記載の表示装置。
【請求項４】
前記変更手段は、経時的にオブジェクトの色を変えるように構成してあることを特徴とする請求項１から３の何れか１つに記載の表示装置。
【請求項５】
前記撮像手段による撮像方向を可変にしてあることを特徴とする請求項１から４の何れか１つに記載の表示装置。
【請求項６】
表側の視認者が視認すべきオブジェクトを表示する透光性の表示画面と、該表示画面の裏側を撮像する撮像手段とを備える表示装置にて、オブジェクトを表示する表示方法において、
撮像された映像の色、及び前記オブジェクトの色を比較する比較ステップと、
該比較ステップでの比較結果に基づき、所定の色を決定する決定ステップと、
該決定ステップでの決定結果に基づき、前記オブジェクトの色を変更表示する変更ステップと
を含むことを特徴とする表示方法。
【請求項７】
表側の視認者が視認すべきオブジェクトを表示する透光性の表示画面と、該表示画面の裏側を撮像する撮像手段とを備える表示装置を構成するコンピュータに、オブジェクトを表示させるコンピュータプログラムにおいて、
コンピュータに、撮像された映像の色、及び前記オブジェクトの色を比較させる比較ステップと、
コンピュータに、前記比較ステップでの比較結果に基づき、所定の色を決定させる決定ステップと、
コンピュータに、前記決定ステップでの決定結果に基づき、前記オブジェクトの色を変更表示させる変更ステップと
を実行させることを特徴とするコンピュータプログラム。
【請求項８】
請求項７に記載のコンピュータプログラムを記録してあることを特徴とするコンピュータでの読み取りが可能な記録媒体。
【発明の詳細な説明】
【技術分野】
【０００１】
本発明は、透光性を有する表示画面の表側に視認者が視認すべきオブジェクトを表示する表示装置、表示方法、コンピュータプログラム、及び該コンピュータプログラムが記録された記録媒体に関する。
【背景技術】
【０００２】
近年、その向こう側を視認できる、いわゆる透過型の液晶パネル、有機ＥＬパネル等の普及が増えつつある。
【０００３】
例えば、特許文献１及び特許文献２では、その一部が透過可能である表示手段の背面にキー配列が割付けられたタッチパネルを配置し、タッチパネルの押圧位置を含む周辺キーのキー配列を前面の前記表示手段を介して視認可能とした情報表示入力装置が開示されている。
【先行技術文献】
【特許文献】
【０００４】
【特許文献１】特開２００６−２１６０８７号公報
【特許文献２】特開２００７−１６４７６７号公報
【発明の概要】
【発明が解決しようとする課題】
【０００５】
一方、上述したような透過型の液晶パネル、有機ＥＬパネルにおいては、向こう側（裏側）の視認が可能であるために、換言すれば、表示されるオブジェクトと共に、裏側が視認されることから、該オブジェクトの視認が難しくなるという問題があった。
【０００６】
すなわち、前記透過型の液晶パネル、有機ＥＬパネルを介して視認される裏側が、表示されるオブジェクトの色と同一色又は同系色である場合、オブジェクトの色が保護色となり、視認し難くなる。しかしながら、特許文献１及び特許文献２に係る情報表示入力装置では、このような問題を解決できない。
【０００７】
本発明は、斯かる事情に鑑みてなされたものであり、その目的とするところは、透光性を有する表示画面の表側に視認者が視認すべきオブジェクトを表示するにおいて、該表示画面の裏側を撮像し、撮像された映像の色及び前記オブジェクトの色を比較して、斯かる比較結果に基づき、所定の色を決定し、この決定結果に基づき、前記オブジェクトの色を変更表示することにより、前記表示画面を介して透けて見える裏側が前記オブジェクトの色と同一色又は同系色である場合でも、明確に該オブジェクトを視認することが出来る表示装置、表示方法、コンピュータプログラム、及び該コンピュータプログラムが記録される記録媒体を提供することにある。
【課題を解決するための手段】
【０００８】
本発明に係る表示装置は、透光性を有する表示画面を備え、該表示画面の表側の視認者が視認すべきオブジェクトを表示する表示装置において、該表示画面の裏側を撮像する撮像手段と、撮像された映像の色、及び前記オブジェクトの色を比較する比較手段と、該比較手段の比較結果に基づき、所定の色を決定する決定手段と、該決定手段の決定結果に基づき、前記オブジェクトの色を変更表示する変更手段とを備えることを特徴とする。
【０００９】
本発明にあっては、前記撮像手段が前記表示画面の裏側を撮像し、前記比較手段は撮像された映像の色、及び前記オブジェクトの色を比較する。前記決定手段は、前記比較手段の比較結果に基づき、所定の色を決定し、斯かる決定結果に基づき、前記変更手段が前記オブジェクトの色を変更表示する。
【００１０】
本発明に係る表示装置は、色の選択を受け付ける選択受付手段を備え、前記比較手段は、前記選択受付手段が受け付けた選択に係る色と、前記オブジェクトの色とを比較するように構成されていることを特徴とする。
【００１１】
本発明にあっては、前記選択受付手段が色の選択を受け付けた場合、前記比較手段は、該選択受付手段が受け付けた選択に係る色と、前記オブジェクトの色とを比較し、前記決定手段は、前記比較手段の比較結果に基づき、所定の色を決定する。
【００１２】
本発明に係る表示装置は、計時手段を備え、該計時手段の計時結果に基づき、前記比較手段による比較、又は前記決定手段による決定が行われるように構成してあることを特徴とする。
【００１３】
本発明にあっては、前記計時手段の計時結果に基づき、例えば、所定時間の経過毎に、前記比較手段は、撮像された映像の色及び前記オブジェクトの色を比較し、前記決定手段は所定の色を決定する。
【００１４】
本発明に係る表示装置は、前記変更手段は、経時的にオブジェクトの色を変えるように構成してあることを特徴とする。
【００１５】
本発明にあっては、前記決定手段による決定結果に基づき、前記変更手段が前記オブジェクトの色を変更表示する際、経時的に徐々にオブジェクトの色を変える。
【００１６】
本発明に係る表示装置は、前記撮像手段による撮像方向を可変にしてあることを特徴とする。
【００１７】
本発明にあっては、前記撮像手段による撮像方向を可変にしてあるので、使用者は必要に応じて撮像方向を調整することができる。
【００１８】
本発明に係る表示方法は、表側の視認者が視認すべきオブジェクトを表示する透光性の表示画面と、該表示画面の裏側を撮像する撮像手段とを備える表示装置にて、オブジェクトを表示する表示方法において、撮像された映像の色、及び前記オブジェクトの色を比較する比較ステップと、該比較ステップでの比較結果に基づき、所定の色を決定する決定ステップと、該決定ステップでの決定結果に基づき、前記オブジェクトの色を変更表示する変更ステップとを含むことを特徴とする。
【００１９】
本発明に係るコンピュータプログラムは、表側の視認者が視認すべきオブジェクトを表示する透光性の表示画面と、該表示画面の裏側を撮像する撮像手段とを備える表示装置を構成するコンピュータに、オブジェクトを表示させるコンピュータプログラムにおいて、コンピュータに、撮像された映像の色、及び前記オブジェクトの色を比較させる比較ステップと、コンピュータに、前記比較ステップでの比較結果に基づき、所定の色を決定させる決定ステップと、コンピュータに、前記決定ステップでの決定結果に基づき、前記オブジェクトの色を変更表示させる変更ステップとを実行させることを特徴とする。
【００２０】
本発明にあっては、該表示画面の裏側が撮像され、撮像された裏側の映像の色及び前記オブジェクトの色が比較される。斯かる比較結果に基づき、所定の色が決定され、斯かる決定結果に基づき、前記オブジェクトの色が変更表示される。
【００２１】
本発明に係る記録媒体は、前述の発明のコンピュータプログラムを記録してあることを特徴とする。
【００２２】
本発明にあっては、前記記録媒体に前述のコンピュータプログラムを記録する。コンピュータが前記記録媒体からコンピュータプログラムを読み出して、前述の表示装置及び表示方法がコンピュータにより実現される。
【発明の効果】
【００２３】
本発明によれば、前記表示画面を介して透けて見える裏側が、該表示画面の表側の視認者が視認すべきオブジェクトオブジェクトの色と同一色又は同系色である場合であっても、視認者が明確に該オブジェクトを視認することが出来る。
【図面の簡単な説明】
【００２４】
【図１】本発明の実施の形態１に係る書籍データ表示装置の要部構成を示す機能ブロック図である。
【図２】本発明の実施の形態１に係る書籍データ表示装置における、カメラの構成を説明する説明図である。
【図３】本発明の実施の形態１に係る書籍データ表示装置における、制御部の要部構成を示す機能ブロック図である。
【図４】本発明の実施の形態１に係る書籍データ表示装置の一つの使用例を示す例示図である。
【図５】図４に示す使用例における、書籍データ表示装置でのオブジェクトの表示を示す図である。
【図６】図５に示す使用例における、本発明の実施の形態１に係る書籍データ表示装置の処理を説明するフローチャートである。
【図７】本発明の実施の形態１に係る書籍データ表示装置における、色の変更表示を示す例示図である。
【図８】本発明の実施の形態２に係る書籍データ表示装置の一つの使用例を示す例示図である。
【図９】図８に示す使用例における、書籍データ表示装置でのオブジェクトの表示を示す図である。
【図１０】図９に示す使用例における、本発明の実施の形態２に係る書籍データ表示装置の処理を説明するフローチャートである。
【図１１】本発明の実施の形態２に係る書籍データ表示装置における、選択受付画面の一例を示す例示図である。
【図１２】本発明の実施の形態２に係る書籍データ表示装置における、色の変更表示を示す例示図である。
【図１３】本発明の実施の形態３の書籍データ表示装置の要部構成を示す機能ブロック図である。
【発明を実施するための形態】
【００２５】
以下に、本発明の実施の形態に係る表示装置、表示方法及びコンピュータプログラムを、いわゆる電子ブックの機能を有する書籍データ表示装置に適用した場合を例として、図面に基づいて詳述する。
【００２６】
（実施の形態１）
図１は本発明の実施の形態１に係る書籍データ表示装置１００の要部構成を示す機能ブロック図である。
本発明の実施の形態１に係る書籍データ表示装置１００は、タッチパネル２と、撮像部３と、表示部４と、計時部５と、記憶部６と、操作部８とを備えている。これらハードウェアはバスＮを介して制御部１に接続されている。
【００２７】
表示部４は、例えば、透過型液晶パネル、透明である有機ＥＬ（Electroluminescence）パネルからなる。詳しくは、該有機ＥＬパネルは、電界発光層の上下を透明導電膜で挟むとともに、これらをガラス板などの透明基板でさらに上下から封止し、この透明導電膜を駆動する有機ＥＬ表示素子（ＴＦＴ）などの駆動回路領域と電界発光層で生成された光が出光する表示領域とが重ならないように形成することで、電界発光層の上下方向に向けて出光可能としたデュアルエミッション型の有機ＥＬパネルである。
【００２８】
表示部４の後述する表示画面４１には、該有機ＥＬパネルの自発光によって、電子書籍のコンテンツ等のオブジェクトが表示される。従って、オブジェクトが表示されない場合は有機ＥＬパネルの全体を介して、オブジェクトが表示されている場合はオブジェクトが表示されていない部分を介して、裏側が透過して見える。すなわち、表示画面４１の表側に居る使用者は、表示画面４１の裏側を視認することができる。また、表示部４の表示画面４１を覆うようにタッチパネル２が設けられている。
【００２９】
タッチパネル２は、透明であり、表示部４の表示画面４１を覆うように設けられた板部材を備えている。タッチパネル２は、該板部材への使用者のタッチ操作により表示部４の表示画面４１上における位置指定を受け付ける。詳しくは、タッチパネル２は使用者の指先のタッチ操作による圧力の変化を検知し、又は静電気による電気信号を検知して、使用者の指先の接触点に対応する表示部４の表示画面４１上の座標を検出し、該座標を特定する信号を発生する。また、タッチパネル２は、これに限るものでなく、ポインティングデバイス（例えば、スタイラスペン）等を含む構成であっても良い。
【００３０】
撮像部３は、表示画面４１の裏側の映像（以下、裏側映像）を撮像する。詳しくは、撮像部３は、ＣＣＤ（Charge Coupled Device ）イメージセンサ等の撮像素子を備えるカメラを有しており、カメラを介して表示画面４１の裏側を撮影した撮影データを取得して前記裏側映像を生成する。
【００３１】
図２は本発明の実施の形態１に係る書籍データ表示装置１００における、カメラ３１の構成を説明する説明図である。カメラ３１は、表示画面４１（有機ＥＬパネル）を取り囲む枠体４２の上側に設けられている。カメラ３１は、球体の形状をなす球体部３３と、球体部３３に突設された円柱状のレンズ部３２を有する。カメラ３１は球体部３３が、球殻状の受部３４に回転かつ傾動自在に内嵌されている。詳しくは、受部３４は、球体部３３に倣う形状の空洞を内側に有し、表示画面４１の裏側に向けて円形の開口が形成されている。従って、レンズ部３２を、前記開口を介して外側に露出させた状態にて球体部３３が受部３４の内側に嵌められ、該開口を半径に、レンズ部３２が回転かつ傾動可能となる。すなわち、カメラ３１が受部３４と玉継手のように係合しているので、使用者はカメラ３１による撮像方向を変えることが出来る。
【００３２】
記憶部６は、例えば、フラッシュメモリ、ＥＥＰＲＯＭ、ＨＤＤ、ＭＲＡＭ（磁気抵抗メモリ）、ＦｅＲＡＭ（強誘電体メモリ）、又は、ＯＵＭ等の不揮発性の記憶媒体により構成されている。また、記憶部６には書籍データが記憶されている。該書籍データは電子書籍の各ページに対応する画像データからなり、ページ毎に画像データが制御部１に送られ、該画像データに対する処理が適宜施される。該処理後の画像データに基づく画像（オブジェクト）が表示部４に表示される。
【００３３】
操作部８には、使用者から各種指示を受け付けるために複数のボタンが設けられている。例えば、操作部８には、オン・オフボタン、使用者が表示画面４１に表示すべき電子書籍のページを選ぶ際に用いられる＋型ボタン、使用者の決定を受け付けるための決定ボタン等が設けられている。
【００３４】
計時部５は現時刻及び所定時刻からの時間の経過を測り、斯かる計時結果を制御部１に渡す。制御部１は、計時部５の計時結果に基づき、色の比較、変更に係る色の決定等の処理を行う。
【００３５】
図３は本発明の実施の形態１に係る書籍データ表示装置１００における、制御部１の要部構成を示す機能ブロック図である。
制御部１は、ＣＰＵ１１と、ＲＯＭ１２と、ＲＡＭ１３と、バッファーメモリ１４と、表示画像特徴量抽出部１５と、撮像画像特徴量抽出部１６と、変更部１７と、比較部１８と、決定部１９と、選択受付部２０と、表示制御部２１とを備えている。
【００３６】
ＲＯＭ１２には各種の制御プログラム、演算用のパラメータのうちの基本的に固定のデータ等が予め格納されており、ＲＡＭ１３はデータを一時的に記憶し、記憶順、記憶位置等に関係なく読み出すことが可能である。また、ＲＡＭ１３は、例えば、ＲＯＭ１２から読み出されたプログラム、該プログラムを実行することにより発生する各種データ、該実行の際適宜変化するパラメータ等を記憶する。更にＲＡＭ１３には、記憶部６から送られる電子書籍の画像データが１ページずつ記憶される。
【００３７】
ＣＰＵ１１は、ＲＯＭ１２に予め格納されている制御プログラムをＲＡＭ１３上にロードして実行することによって、バスＮを介して上記の各種ハードウェアの制御を行い、装置全体を本発明の書籍データ表示装置１００として動作させる。
【００３８】
バッファーメモリ１４は、表示部４に表示すべき電子書籍の各ページの画像（以下、表示画像と言う。）に係る画像データを、ＲＡＭ１３から１ページずつ取得して一時的に記憶する。
【００３９】
表示画像特徴量抽出部１５は、バッファーメモリ１４に記憶された表示画像の特徴量を抽出する。例えば、表示画像特徴量抽出部１５は、該表示画像の色に係る特徴量（ＲＧＢの値）を抽出する。
【００４０】
撮像画像特徴量抽出部１６は、撮像部３から取得した撮像画像（裏側映像）の特徴量を抽出する。例えば、撮像画像特徴量抽出部１６は、該撮像画像の色に係る特徴量（ＲＧＢの値）を抽出する。
【００４１】
比較部１８は、バッファーメモリ１４に記憶された表示画像と、撮像部３からの撮像画像（裏側映像）との比較を行う。例えば、比較部１８は、前記表示画像及び裏側映像の色の類似度を求める。該色の類似度の求めには、表示画像特徴量抽出部１５によって抽出された表示対象のＲＧＢ値と、撮像画像特徴量抽出部１６によって抽出された撮像画像のＲＧＢ値とに基づいてこれらの色の類似度を算出する公知の技術が用いられる。例えば、表示画像のＲＧＢ値と、撮像画像のＲＧＢ値と内積を求め、斯かる内積に係る数字を色の類似度とする。
【００４２】
なお、以下の説明においては、比較部１８が色の類似度を求め、前記表示画像及び裏側映像の比較を行う場合を例として説明するが、本発明はこれに限るものでない。例えば、斯かる類似度は、前記表示画像及び裏側映像の色に限るものでなく、彩度、明度における類似度を求めるように構成しても良い。
【００４３】
決定部１９は、比較部１８による比較の結果、すなわち、前記表示画像及び裏側映像の色の類似度の計算結果に基づき、所定の色を決定する。換言すれば、既にバッファーメモリ１４に記憶されている画像データに基づく表示画像の色を変えて表示するための色（以下、変更色と言う。）を特定する。例えば、該表示画像及び裏側映像の色の類似度が所定の閾値以上である場合、決定部１９は、該裏側映像のＲＧＢ値から特定される色に対する補色を前記変更色として決定する。  
【００４４】
変更部１７は、バッファーメモリ１４に記憶された画像データに係る表示画像の色が決定部１９によって決定された変更色になるように、該画像データを変更する。従って、該表示画像に文字、図形等のオブジェクトが含まれている場合、該オブジェクトの色は原の色から前記変更色に変更されて表示部４に表示される。
【００４５】
選択受付部２０は、比較部１８による色の類似度の計算における前記裏側映像の色の選択を使用者から受け付ける。詳しくは、選択受付部２０は、後述する選択受付画面に表示される裏側映像上での所定の画像領域に係る色を、選択された色として受け付け、該画像領域の色の特徴量を抽出するように撮像画像特徴量抽出部１６に指示する。撮像画像特徴量抽出部１６は、該指示に応じて、該画像領域の色のＲＧＢ値を抽出する。
【００４６】
なお、本発明はこれに限るものでない。例えば、選択受付部２０が該画像領域の彩度、明度の選択を受け付けるように構成しても良い。
【００４７】
表示制御部２１は、ＤＳＰ（Digital Signal Processor）のようなプロセッサにより構成され、バッファーメモリ１４に記憶されている画像データに基づく画像を表示部４へ表示する。また、表示制御部２１は、変更部１７によって色が変更された画像データに基づく画像を表示部４に表示する。
【００４８】
以下、本発明の実施の形態１に係る書籍データ表示装置１００の作用について詳しく説明する。
【００４９】
図４は本発明の実施の形態１に係る書籍データ表示装置１００の一つの使用例を示す例示図であり、図５は図４に示す使用例における、書籍データ表示装置１００でのオブジェクトの表示を示す図である。説明の便宜上、同系色である部分については同一方向の斜線を付している。
【００５０】
本発明の実施の形態１に係る書籍データ表示装置１００の使用例の一つとして、図４に示すように、表示画面４１に表示された文字の色と、表示画面４１の裏側であって、表示画面４１を介して視認される部分の色が同一である場合が想定される。
【００５１】
すなわち、図５に示すように、表示画面４１に表示された「ＡＢＣＤ」文字と、表示画面４１を介して視認される単色のカーテンが重なっており、かつ、該「ＡＢＣＤ」文字の色と、該カーテンの色が同系色である場合には、文字の背景が該文字と同一の色であるので、該文字の視認が難しくなる。このような場合、本発明の実施の形態１に係る書籍データ表示装置１００は、斯かる文字の色を変更して、文字を背景から浮き出させる。
【００５２】
図６は図５に示す使用例における、本発明の実施の形態１に係る書籍データ表示装置１００の処理を説明するフローチャートである。説明の便宜上、総１０ページである電子書籍の表示を、使用者が書籍データ表示装置１００に指示した場合を例として、図４に基づいて、説明する。
【００５３】
上述したように、使用者から前記電子書籍を表示する指示を受け付けた場合、先ず、記憶部６に記憶されている該電子書籍の画像データの中、１ページに該当する画像データがＲＡＭ１３に送られ、ＣＰＵ１１は該１ページに該当する画像データをバッファーメモリ１４に伝送させ、記憶する（ステップＳ１０１）。
【００５４】
次いで、ＣＰＵ１１は、撮像部３によって撮像された裏側映像を取得する（ステップＳ１０２）。
【００５５】
比較部１８は、取得した裏側映像と、バッファーメモリ１４に記憶された画像データに基づく表示画像との類似度を計算する（ステップＳ１０３）。詳しくは、上述したように、表示画像特徴量抽出部１５が該表示対象のＲＧＢ値を抽出し、撮像画像特徴量抽出部１６が該裏側映像のＲＧＢ値を抽出し、比較部１８はこれらに基づき、該表示画像及び裏側映像における色の類似度を算出する。
【００５６】
また、ＣＰＵ１１は、比較部１８によって計算された色の類似度が所定の閾値以上であるか否かを判定する（ステップＳ１０４）。ＣＰＵ１１によって該類似度が所定の閾値以上でないと判定された場合（ステップＳ１０４：ＮＯ）、処理はステップＳ１０７に進む。
【００５７】
一方、図４に示すように、表示画面４１に示した文字（オブジェクト）及び裏側映像の色が同系色である場合、ＣＰＵ１１は前記類似度が所定の閾値以上であると判定する（ステップＳ１０４：ＹＥＳ）。この際、決定部１９は変更色を決定する（ステップＳ１０５）。決定部１９による変更色の決定については既に上述しており、詳しい説明を省略する。
【００５８】
次いで、変更部１７は、バッファーメモリ１４に記憶された１ページの画像データに係る表示画像の色が、決定部１９によって決定された変更色になるように、該画像データを変更する（ステップＳ１０６）。
【００５９】
表示制御部２１は、変更部１７によって変更された画像データに基づき、１ページの画像を表示部４に表示する（ステップＳ１０７）。
【００６０】
図７は本発明の実施の形態１に係る書籍データ表示装置１００における、色の変更表示を示す例示図である。上述したように、変更色としては、裏側映像の色の補色が決定されるので、表示部４（表示画面４１）には、文字「ＡＢＣＤ」の色が裏側のカーテンの色の補色（図７中、カーテンと反対方向の斜線にて表示）にて表示される。
【００６１】
次いで、ＣＰＵ１１は、ＲＡＭ１３を確認することにより、画像データの更新があったか否かを判定する（ステップＳ１０８）。すなわち、１ページを読み終わった使用者が、操作部８の前記＋型ボタンを操作することにより、次のページ（２ページ）の表示を指示した場合、２ページの画像データが記憶部６からＲＡＭ１３に送られるので、ＣＰＵ１１はＲＡＭ１３に他のページの画像データが記憶されているか否かを確認することにより、該判定を行う。
【００６２】
ＣＰＵ１１は、画像データの更新があったと判定した場合（ステップＳ１０８：ＹＥＳ）、処理をステップＳ１０１に戻す。一方、ＣＰＵ１１は、画像データの更新がなかったと判定した場合（ステップＳ１０８：ＮＯ）、操作部８のオン・オフボタンを監視することによって、終了の指示を受け付けたか否かを判定する（ステップＳ１０９）。
【００６３】
ＣＰＵ１１は終了の指示を受け付けたと判定した場合（ステップＳ１０９：ＹＥＳ）、処理を終了する。一方、ＣＰＵ１１は終了の指示を受け付けていないと判定した場合（ステップＳ１０９：ＮＯ）、計時部５に計時の開始を指示する。
【００６４】
この後、ＣＰＵ１１は、計時部５から計時結果を取得し、該計時結果に基づき、所定時間が経過したか否かを判定する（ステップＳ１１０）。
【００６５】
ＣＰＵ１１は、所定時間が経過していないと判定した場合（ステップＳ１１０：ＮＯ）、処理をステップＳ１０８に戻す。一方、ＣＰＵ１１は、所定時間が経過したと判定した場合（ステップＳ１１０：ＹＥＳ）、処理をステップＳ１０２に戻す。
【００６６】
本発明の実施の形態１に係る書籍データ表示装置１００は、以上のような構成を有するので、表示部４（表示画面４１）に表示されるオブジェクトの色と、該オブジェクトの背景の色とが同系色である場合に該オブジェクトが視認しにくくなることを防止できる。
【００６７】
なお、該オブジェクトの色を変更して表示する際、上述したように、所定の時間間隔をおいて行うことにより、色の変化が頻繁に起きることを未然に防ぎ、使用者の目の疲れを抑制することができる。
【００６８】
（実施の形態２）
図８は本発明の実施の形態２に係る書籍データ表示装置１００の一つの使用例を示す例示図であり、図９は図８に示す使用例における、書籍データ表示装置１００でのオブジェクトの表示を示す図である。説明の便宜上、同系色である部分については同一方向の斜線を付している。
【００６９】
本発明の実施の形態２に係る書籍データ表示装置１００の使用例の一つとして、図８に示すように、表示画面４１の裏側であって、表示画面４１を介して視認される部分の色が複数混在しており、該複数の色の中、何れかと表示画面４１に表示された文字の色とが同一又は同系色である場合が想定される。
【００７０】
すなわち、図９に示すように、表示画面４１に表示された「ＡＢＣＤ」文字の一部が、表示画面４１を介して視認されるカーテンと重なっており、かつ、該「ＡＢＣＤ」文字の色と、背景の一部たる該カーテンの色が同系色である場合には、該文字の一部の視認が難しくなる。このような場合、本発明の実施の形態２に係る書籍データ表示装置１００は、使用者から所定の色の選択を受け付け、この色に基づいて前記文字の色を変更して、文字を視認し易くする。
【００７１】
図１０は図９に示す使用例における、本発明の実施の形態２に係る書籍データ表示装置１００の処理を説明するフローチャートである。説明の便宜上、総１０ページである電子書籍の表示を、使用者が書籍データ表示装置１００に指示した場合を例として、図９に基づいて、説明する。
【００７２】
上述したように、使用者から前記電子書籍を表示する指示を受け付けた場合、先ず、記憶部６に記憶されている該電子書籍の画像データの中、１ページに該当する画像データがＲＡＭ１３に送られ、ＣＰＵ１１は該１ページに該当する画像データをバッファーメモリ１４に伝送させ、記憶する（ステップＳ２０１）。
【００７３】
次いで、ＣＰＵ１１は、撮像部３によって撮像された裏側映像を取得する（ステップＳ２０２）。
【００７４】
表示制御部２１は、取得された裏側映像を用いて、表示部４に選択受付画面を表示する（ステップＳ２０３）。図１１は本発明の実施の形態２に係る書籍データ表示装置１００における、選択受付画面の一例を示す例示図である。
【００７５】
前記選択受付画面は、撮像部３によって撮像された裏側映像と、該裏側画像の上に重畳して表示される領域指定用枠（図１１中、点線して表示）とからなる。該領域指定用枠は、いわゆる使用者からのドラッグアンドドロップの操作によって、又は前記＋型ボタンの操作によって、その大きさを変え、また所定の位置に移動させることが出来る。
【００７６】
例えば、使用者がドラッグアンドドロップの操作にて前記領域指定用枠をカーテンの画像上（図１１中の矢印方法）に移動させた後、操作部８の前記決定ボタンを押圧する操作を行った場合、移動後の領域指定用枠の座標を特定する信号がタッチパネル２から制御部１に送られる。
【００７７】
制御部１の選択受付部２０は、前記信号に基づき、前記裏側映像上の領域指定用枠に対応する画像領域の色を、すなわち、カーテンの色を選択された色として受け付ける（ステップＳ２０４）。
【００７８】
比較部１８は、取得した裏側映像と、バッファーメモリ１４に記憶された表示画像との類似度を計算する（ステップＳ２０５）。詳しくは、表示画像特徴量抽出部１５が前記表示対象のＲＧＢ値を抽出し、撮像画像特徴量抽出部１６は前記選択受付画面の領域指定用枠に対応する画像領域の色のＲＧＢ値を抽出する。比較部１８はこれらに基づき、前記表示画像及び裏側映像における色の類似度を算出する。
【００７９】
また、ＣＰＵ１１は、比較部１８によって計算された色の類似度が所定の閾値以上であるか否かを判定する（ステップＳ２０６）。ＣＰＵ１１によって該類似度が所定の閾値以上でないと判定された場合（ステップＳ２０６：ＮＯ）、処理はステップＳ２０９に進む。
【００８０】
一方、前記選択受付画面の領域指定用枠に対応する画像領域の色と、表示画面４１に示した文字（オブジェクト）とが同系色である場合、ＣＰＵ１１によって前記類似度が所定の閾値以上であると判定される（ステップＳ２０６：ＹＥＳ）。この際、決定部１９は変更色を決定する（ステップＳ２０７）。決定部１９による変更色の決定については既に上述しており、詳しい説明を省略する。
【００８１】
次いで、変更部１７は、バッファーメモリ１４に記憶された１ページの画像データに係る表示画像の色が、決定部１９によって決定された変更色になるように、該画像データを変更する（ステップＳ２０８）。
【００８２】
表示制御部２１は、変更部１７によって変更された画像データに基づき、１ページの画像を表示部４に表示する（ステップＳ２０９）。
【００８３】
図１２は本発明の実施の形態２に係る書籍データ表示装置１００における、色の変更表示を示す例示図である。上述したように、変更色としては、裏側映像の色の補色が決定されるので、表示部４（表示画面４１）には、文字「ＡＢＣＤ」の色が裏側のカーテンの色の補色（図１２中、カーテンと反対方向の斜線にて表示）にて表示される。
【００８４】
以降における、ステップＳ２１０からステップＳ２１２までの処理は、図６における、ステップＳ１０８からステップＳ１１０までの処理と同様であるので、詳しい説明を省略する。
【００８５】
本発明の実施の形態２に係る書籍データ表示装置１００は、以上のような構成を有するので、表示制御部２１に表示されるオブジェクトの色と、該オブジェクトの背景の一部の色とが同一色又は同系色である場合において、使用者が選択的に、該オブジェクトの色を変え、その視認性を高めることが出来る。
【００８６】
なお、本発明は以上の構成に限るものでない。オブジェクトの色を変更して表示する際、経時的に色を変更させるように構成しても良い。例えば、色相環上の色順に沿って、当該変更色まで順次色を変えて表示することにより、色の変更表示が行われるように構成しても良い。これによって、色の急変が起きることを未然に防ぎ、使用者の目の疲れを抑制することができる。
【００８７】
実施の形態１と同様の部分については、同一の符号を付して詳細な説明を省略する。
【００８８】
一方、表示画面４１を介して使用者が視認する裏側の様子（背景）と、撮像部３によって撮像された裏側映像が異なる場合が想定される。
【００８９】
すなわち、表示画面４１を介して視認される裏側の様子は、使用者によって、又は使い方（持ち方）によって変わる。例えば、表示画面４１が使用者の目の前に位置する場合、目より上に位置する場合、又は目より下に位置する場合、表示画面４１を介して視認される裏側の様子は夫々異なる。更には、使用者が書籍データ表示装置１００を傾けた状態にて使用する場合もある。従って、表示画面４１を介して使用者が視認する裏側の様子（背景）と、撮像部３によって撮像された裏側映像が異なる場合が生じ得る。このような場合には、上述したように、オブジェクトの色を変更して表示することによる効果が期待できなくなる。
【００９０】
しかし、本発明の書籍データ表示装置１００においては、上述したように、使用者がカメラ３１による撮像方向を変えることができるように構成されているので、表示画面４１を介して視認される背景と、撮像部３によって撮像された裏側映像とが異なる場合であっても、使用者が撮像方向を調整して、該背景及び裏側画像を一致させることができる。
【００９１】
（実施の形態３）
図１３は本発明の実施の形態３の書籍データ表示装置１００の要部構成を示す機能ブロック図である。実施の形態３の書籍データ表示装置１００は、動作を行うためのコンピュータプログラムが、Ｉ／Ｆ７を介してＣＤ−ＲＯＭ等の可搬型記録媒体Ａで提供することも可能であるように構成されている。さらに、実施の形態３の書籍データ表示装置１００は、前記コンピュータプログラムを、図示しない外部装置から通信部９を介してダウンロードすることも可能であるように構成されている。以下に、その内容を説明する。
【００９２】
実施の形態３の書籍データ表示装置１００は外装（又は内装）の記録媒体読み取り装置（図示せず）を備えており、該記録媒体読み取り装置に、撮像された映像（裏側映像）の色、及びオブジェクト（表示画像）の色を比較させ、比較結果に基づき、所定の色（変更色）を決定させ、決定結果に基づき、オブジェクトの色を変更表示させるプログラム等が記録された可搬型記録媒体Ａを挿入して、例えば、ＣＰＵ１１がＲＯＭ１２にこのプログラムをインストールする。かかるプログラムはＲＡＭ１３にロードして実行される。これにより、実施の形態１及び実施の形態２に係る本発明の書籍データ表示装置１００として機能する。
【００９３】
前記記録媒体としては、いわゆるプログラムメディアであっても良く、磁気テープ及びカセットテープ等のテープ系、フレキシブルディスク及びハードディスク等の磁気ディスク並びにＣＤ−ＲＯＭ／ＭＯ／ＭＤ／ＤＶＤ等の光ディスクのディスク系、ＩＣカード（メモリカードを含む）／光カード等のカード系、あるいはマスクＲＯＭ、ＥＰＲＯＭ、ＥＥＰＲＯＭ、フラッシュＲＯＭ等による半導体メモリを含めた固定的にプログラムコードを担持する媒体であっても良い。
【００９４】
通信部９を介してネットワークからプログラムコードをダウンロードするように流動的にプログラムコードを担持する媒体であっても良い。なお、このように通信ネットワークからプログラムをダウンロードする場合には、そのダウンロード用のプログラムは予め本体装置に格納しておくか、あるいは別な記録媒体からインストールされるものであっても良い。なお、本発明は、前記プログラムコードが電子的な伝送で具現化された、搬送波に埋め込まれたコンピュータデータ信号の形態でも実現され得る。
【００９５】
実施の形態１と同様の部分については、同一の符号を付して詳細な説明を省略する。
【符号の説明】
【００９６】
１  制御部
２  タッチパネル
３  撮像部
４  表示部
５  計時部
１１  ＣＰＵ
１７  変更部
１８  比較部
１９  決定部
２０  選択受付部
２１  表示制御部
４１  表示画面
１００  書籍データ表示装置
Ａ  記録媒体
【図１】
2012221228.tif 000003
【図２】
2012221228.tif 000004
【図３】
2012221228.tif 000005
【図４】
2012221228.tif 000006
【図５】
2012221228.tif 000007
【図６】
2012221228.tif 000008
【図７】
2012221228.tif 000009
【図８】
2012221228.tif 000010
【図９】
2012221228.tif 000011
【図１０】
2012221228.tif 000012
【図１１】
2012221228.tif 000013
【図１２】
2012221228.tif 000014
【図１３】
2012221228.tif 000015